(57)【要約】      （修正有）【課題】秘匿情報を隠蔽状態とすることができ、かつ、製造効率の向上と低コスト化を図る効果を奏する隠蔽シート付帳票を提供する。【解決手段】納税義務者識別情報部２６と秘匿情報部とが配置された納税義務者別帳票片２４が、横断ミシン目２５を介して三件一葉に連接した納税義務者情報シート２１と、特別徴収義務者識別情報部２８を有し、納税義務者情報シート２１と横断ミシン目２３を介して連接した特別徴収義務者情報シート２２とを備える単片帳票２と、接着剤層により単片帳票２に接着される隠蔽シート３とからなり、隠蔽シート３は、単片帳票２に接着された状態において、秘匿情報部に記載された秘匿情報を隠蔽状態とするが、納税義務者識別情報部２６と特別徴収義務者識別情報部２８に記載された識別情報は露出状態とする形状に形成されると共に、単片帳票２に形成された横断ミシン目２３、２５と一致する位置に横断ミシン目が形成されている。【選択図】図１
0003190163.tif 000002
【実用新案登録請求の範囲】
【請求項１】
個人住民税を特別徴収の方法によって徴収する場合に、特別徴収義務者に交付される帳票であって、
納税義務者の氏名、住所等の識別情報が記載された納税義務者識別情報部と、所得、税額等の秘匿情報が記載された秘匿情報部とが区分けされて並んで配置された一件の納税義務者別帳票片が、横断ミシン目を介して三件一葉に連接した納税義務者情報シートと、
特別徴収義務者の名称、指定番号等の識別情報が記載された特別徴収義務者識別情報部を有し、前記納税義務者情報シートと横断ミシン目を介して連接した特別徴収義務者情報シートと、を備える単片帳票と、
前記秘匿情報部の外周縁を含む所定の箇所に再剥離性を有する接着剤を塗布して形成された接着剤層により前記単片帳票に接着される隠蔽シートと、
からなり、
前記隠蔽シートは、前記単片帳票に接着された状態において、前記秘匿情報部に記載された秘匿情報を隠蔽状態とするが、前記納税義務者識別情報部と前記特別徴収義務者識別情報部に記載された識別情報は露出状態とする形状に形成されると共に、前記単片帳票に形成された横断ミシン目と一致する位置に横断ミシン目が形成されており、
納税義務者情報シートが三件の納税義務者別帳票片に切り離される前後にわたり秘匿情報が隠蔽状態のまま保持されることを特徴とする隠蔽シート付帳票。
【請求項２】
前記単片帳票が、長さ方向の両側縁に、プリンターのトラクターフィーダに噛み合わせて用紙送りをするために一定間隔で設けられた送り孔と、この送り孔を切り離すための送り孔切断用縦ミシン目とを備える連続帳票を、所定の折りたたみ長さを置いて形成された折りたたみ用横ミシン目で裁断することによって形成されたことを特徴とする請求項１記載の隠蔽シート付帳票。
【請求項３】
前記隠蔽シートが、前記単片帳票に接着された状態において前記秘匿情報部に対応する表面に透過防止加工が施されていることを特徴とする請求項１又は２記載の隠蔽シート付帳票。
【請求項４】
前記接着剤が、高級脂肪酸系水性ワックスエマルジョン接着剤であることを特徴とする請求項１乃至３のいずれか記載の隠蔽シート付帳票。
【考案の詳細な説明】
【技術分野】
【０００１】
本考案は、個人住民税（個人市民税・個人県民税）を特別徴収の方法によって徴収する場合に、特別徴収義務者として指定された事業主に交付される隠蔽シート付帳票に関するものである。
【背景技術】
【０００２】
個人住民税の納税については、所得税の源泉徴収に対応する制度として、納税義務者である個々の給与取得者（従業員）が納めるべき税額を、毎月の給与の支払時に特別徴収義務者である給与支払者（事業主）が徴収し、一括して市町村に納入する特別徴収の制度が設けられている。
【０００３】
特別徴収の手順は、まず個人住民税の特別徴収義務者（事業主）に対しては、毎年５月３１日までに納税義務者（従業員）の住所地の市町村から特別徴収税額の通知書（特別徴収義務者用及び納税義務者用）が送付されるので、特別徴収税額の通知書（納税義務者用）については速やかに各従業員に配布しなければならない。特別徴収税額の通知書（特別徴収義務者用）には各従業員から徴収すべき住民税額（年税額及び毎月の額）が記載されているので、事業主は記載された月割額を６月から翌年の５月まで毎月の給与から徴収した上、翌月の１０日までに当該市町村（役場又は金融機関・郵便局）に納入する。
【０００４】
事業主から従業員に配布される特別徴収税額の通知書には、氏名、住所等の従業員の識別情報と、所得、税額等の秘匿情報とが並べて記載されており、これをそのままの状態で従業員に配布したのでは秘匿情報を他人が盗み見ることが可能であり、プライバシー保護の観点から問題があった。
【０００５】
上記の問題に対して、従来は、通知書を封入・封緘して従業員に配布することにより、他人に秘匿情報を見られなくする方法が用いられてきた。また、昨今は、二つ折り（Ｖ折り）又は外三つ折り（Ｚ折り）のはがきシート（感圧接着シート）による手法を用いて秘匿情報を隠蔽する方法が提案されている。
【考案の概要】
【考案が解決しようとする課題】
【０００６】
しかし、前者の方法は、従業員の数だけ封筒を用意して封入・封緘の作業を行うことは煩雑であるばかりか、内容物の名宛人と封筒を配布する相手が同一人であることの確認に手間を要することとなり、この問題は特に多数の従業員をかかえる公務所や大企業において顕著に現れていた。また、後者の方法は、はがきシートの製造に多くの工程を必要とするほか、二つ折り（Ｖ折り）又は外三つ折り（Ｚ折り）にして秘匿情報が外部から見えないように加圧積層する圧着工程が煩雑であり、製造コストが高くなるという問題があった。
【０００７】
本考案が解決しようとする課題は、事業主が特別徴収税額の通知書の交付を受けてから従業員に配布するまでの全過程において秘匿情報を隠蔽状態とすることができ、かつ、製造効率の向上と低コスト化を図る効果を奏する隠蔽シート付帳票を提供することにある。
【課題を解決するための手段】
【０００８】
本考案は、前記課題を解決するためになされたものであり、請求項１記載の隠蔽シート付帳票は、個人住民税を特別徴収の方法によって徴収する場合に、特別徴収義務者に交付される帳票であって、納税義務者の氏名、住所等の識別情報が記載された納税義務者識別情報部と、所得、税額等の秘匿情報が記載された秘匿情報部とが区分けされて並んで配置された一件の納税義務者別帳票片が、横断ミシン目を介して三件一葉に連接した納税義務者情報シートと、特別徴収義務者の名称、指定番号等の識別情報が記載された特別徴収義務者識別情報部を有し、前記納税義務者情報シートと横断ミシン目を介して連接した特別徴収義務者情報シートと、を備える単片帳票と、前記秘匿情報部の外周縁を含む所定の箇所に再剥離性を有する接着剤を塗布して形成された接着剤層により前記単片帳票に接着される隠蔽シートと、からなり、前記隠蔽シートは、前記単片帳票に接着された状態において、前記秘匿情報部に記載された秘匿情報を隠蔽状態とするが、前記納税義務者識別情報部と前記特別徴収義務者識別情報部に記載された識別情報は露出状態とする形状に形成されると共に、前記単片帳票に形成された横断ミシン目と一致する位置に横断ミシン目が形成されており、納税義務者情報シートが三件の納税義務者別帳票片に切り離される前後にわたり秘匿情報が隠蔽状態のまま保持されることを特徴とするものである。
【０００９】
また、請求項２記載の隠蔽シート付帳票は、前記請求項１記載の隠蔽シート付帳票において、前記単片帳票が、長さ方向の両側縁に、プリンターのトラクターフィーダに噛み合わせて用紙送りをするために一定間隔で設けられた送り孔と、この送り孔を切り離すための送り孔切断用縦ミシン目とを備える連続帳票を、所定の折りたたみ長さを置いて形成された折りたたみ用横ミシン目で裁断することによって形成されたことを特徴とするものである。
【００１０】
また、請求項３記載の隠蔽シート付帳票は、請求項１又は２記載の隠蔽シート付帳票において、前記隠蔽シートが、前記単片帳票に接着された状態において前記秘匿情報部に対応する表面に透過防止加工が施されていることを特徴とするものである。
【００１１】
また、請求項４記載の隠蔽シート付帳票は、請求項１乃至３のいずれか記載の隠蔽シート付帳票において、前記接着剤が、高級脂肪酸系水性ワックスエマルジョン接着剤であることを特徴とするものである。
【考案の効果】
【００１２】
本考案によれば、事業主が特別徴収税額の通知書の交付を受けてから従業員に配布するまでの全過程において秘匿情報を隠蔽状態とすることができ、かつ、製造効率の向上と低コスト化を図る効果を奏する隠蔽シート付帳票を提供することができる。
【図面の簡単な説明】
【００１３】
【図１】本考案の隠蔽シート付帳票の表面図である。
【図２】本考案の隠蔽シート付帳票の連続帳票を示す表面図である。
【図３】本考案の隠蔽シート付帳票を分解状態で示す外観図である。
【図４】隠蔽シートを剥がした時の隠蔽シート付帳票の状態を示す外観図である。
【考案を実施するための形態】
【００１４】
以下、本考案の実施形態を図面に基づき説明する。
【００１５】
図１〜４は本考案の好適な実施形態を示し、図１は表面図であり、図２は連続帳票を示す表面図であり、図３は分解状態で示す外観図であり、図４は隠蔽シートを剥がした時の状態を示す外観図である。
【００１６】
本考案の隠蔽シート付帳票１は、事業主に対して従業員の住所地の市町村から交付される特別徴収税額の通知書（特別徴収義務者用及び納税義務者用）のうち、主として納税義務者用の通知書として用いられるものであるが、特別徴収義務者用の通知書として用いることもできる。隠蔽シート付帳票１は、連続帳票１０を折りたたみ用横ミシン目１１に沿って裁断して得られる単片帳票２と、単片帳票２に接着されて単片帳票２上の所定の箇所を隠蔽する隠蔽シート３とから構成される。
【００１７】
連続帳票１０は所定の用紙幅の上質紙からなり、図２に示すとおり、左右の側縁にプリンターのトラクターフィーダに噛み合わせる送り孔１２と、送り孔１２を切り離すための送り孔切断用縦ミシン目１３が形成されている。連続帳票１０の単片帳票２への分離及び送り孔１２の切り離しは、連続帳票１０を折りたたみ用横ミシン目１１に沿ってジグザグに折りたたんだ状態で折りたたみ用横ミシン目１１と送り孔切断用縦ミシン目１３に沿って裁断することにより一括して行うことができ、これにより製造効率の向上と低コスト化を図ることができる。
【００１８】
連続帳票１０には、市が指定するデータ及び印字用プログラムに基づき、納税義務者情報と特別徴収義務者情報があらかじめ印刷されている。なお、印刷は連続帳票１０をロールセットして連続して行うことにより製造効率を向上させることができるが、分離した単片帳票２について一部毎に行っても良い。また、連続帳票１０の用紙幅と折りたたみ長さは市が指定する様式に基づき定めることとし、本実施形態では用紙幅は１５．３インチ、折りたたみ長さは１０インチに設定されている。
【００１９】
単片帳票２は、納税義務者情報が印刷された納税義務者情報シート２１と、特別徴収義務者情報が印刷された特別徴収義務者情報シート２２とから構成され、納税義務者情報シート２１と特別徴収義務者情報シート２２の境界線には横断ミシン目２３が形成されている。隠蔽シート付帳票１の交付を受けた事業主は、先ず特別徴収義務者情報シート２２の記載により当該帳票が自分宛てのものであることを確認した後、隠蔽シート付帳票１を従業員に配布するために必要な納税義務者情報シート２１とさしあたり必要のない特別徴収義務者情報シート２２とに横断ミシン目２３に沿って切り離す作業を行う。
【００２０】
納税義務者情報シート部２１は、同一の様式からなる納税義務者別帳票片２４が横断ミシン目２５を介して三件一葉に連接して構成されている。納税義務者別帳票片２４は、納税義務者の氏名、住所等の識別情報が印刷された納税義務者識別情報部２６と、納税義務者の所得、税額等の秘匿情報が印刷された秘匿情報部２７とが区分けされて配置されている。事業主は、納税義務者識別情報部２６に印刷された識別情報が従業員のものであることを確認した後、従業員毎に納税義務者別帳票片２４を配布するために納税義務者情報シート２１を横断ミシン目２５に沿って三等分する作業を行う。
【００２１】
特別徴収義務者情報シート２２は、事業主の名称、指定番号等の識別情報が印刷された特別徴収義務者識別情報部２８を備えている。これをもとに、事業主は前述のとおり交付を受けた隠蔽シート付帳票１が自分宛てのものであることの確認を行うことができ、さらには当該帳票と特別徴収義務者用として交付を受けた通知書との照合を行うことができる。
【００２２】
本考案の隠蔽シート付帳票１は、単片帳票２に、秘匿情報部２７の外周縁を含む所定の箇所に再剥離性を有する接着剤を塗布して形成された接着剤層４によって隠蔽シート３が接着されて構成される。接着剤の塗布は、連続帳票１０をロールセットして連続して行うことが製造効率の点で好ましいが、分離した単片帳票２について一部毎に行っても良い。また、接着剤層４を形成する接着剤は再剥離性を有するものの中から適宜選択して使用できるが、高級脂肪酸系水性ワックスエマルジョン接着剤が塗布方法が豊富であり、引火の危険性や毒性の心配が少なく、比較的安定性が高くて好適である。
【００２３】
隠蔽シート３は、単片帳票２に接着された状態において、秘匿情報部２７に印刷された秘匿情報は隠蔽状態とするが、納税義務者識別情報部２６と特別徴収義務者識別情報部２８に印刷された識別情報は露出状態とする方形状に形成されると共に、単片帳票２に形成された送り孔切断用縦ミシン目１３と一致する位置に送り孔切断用縦ミシン目３１が形成され、横断ミシン目２３、２５と一致する位置に横断ミシン目３２、３３が形成されている。これにより、（１）隠蔽シート付帳票１を横断ミシン目２３、３２に沿って納税義務者情報シート２１と特別徴収義務者情報シート２２とに切り離す工程、（２）納税義務者情報シート２１を横断ミシン目２５、３３に沿って三等分する工程、（３）分離された納税義務者別帳票片２４を従業員に配布する工程、の各作業を単片帳票２に隠蔽シート３が接着されて秘匿情報が隠蔽状態とされたままで行うことができるので、上記（１）〜（３）の全過程において秘匿情報が他人の目に晒される心配がなく、従業員のプライバシーを保護することができる。
【００２４】
また、隠蔽シート３は、単片帳票２に接着された状態において秘匿情報部２７に対応する表面に目隠し用の印刷が施されている。これにより、隠蔽シート３の隠蔽効果を高めることができ、従業員のプライバシーをより厚く保護することができる。
【００２５】
本考案の隠蔽シート付帳票１によれば、事業主が特別徴収税額の通知書の交付を受けてから従業員に配布するまでの全過程において秘匿情報を隠蔽状態とすることができ、かつ、製造効率の向上と低コスト化を図ることができる。なお、上述の実施形態は事業主に交付される特別徴収義務者用及び納税義務者用の特別徴収税額の通知書のうち、主として納税義務者用を想定したものであるが、特別徴収義務者用についても同様の構成を採用することができることはもちろんである。
【符号の説明】
【００２６】
１  隠蔽シート付帳票
２  単片帳票
３  隠蔽シート
４  接着剤層
５  目隠し用印刷
１０  連続帳票
１１  折りたたみ用横ミシン目
１２  送り孔
１３  送り孔切断用縦ミシン目
２１  納税義務者情報シート
２２  特別徴収義務者情報シート
２３  横断ミシン目
２４  納税義務者別帳票片
２５  横断ミシン目
２６  納税義務者識別情報部
２７  秘匿情報部
２８  特別徴収義務者識別情報部
３１  送り孔切断用縦ミシン目
３２、３３  横断ミシン目
【図１】
0003190163.tif 000003
【図２】
0003190163.tif 000004
【図３】
0003190163.tif 000005
【図４】
0003190163.tif 000006